(57)【要約】【課題】操作部を右方向（時計方向）と左方向（反時計方向）に回動した時の両方で打球の発射操作が可能となり、右利きの遊技者、左利きの遊技者共に疲労感を感じることなく、楽に打球の発射を行なうことができるパチンコ遊技機の打球発射ハンドル装置を提供する。【解決手段】このパチンコ遊技機の打球発射ハンドル装置９は、ハンドル本体９０に操作部９２が回動可能に取り付けられ、操作部の回動操作角度に応じた信号を出力する信号発生部９１が設けられる。操作部９２が中立位置から左右両側に回動可能に形成されると共に、左右の回動位置から中立位置に操作部を戻す方向に付勢する戻し付勢手段が設けられる。操作部９２の左回動時及び右回動時に信号発生部から操作角度に応じた信号が出力され、操作部９２の両方向回動時に信号発生部から打球発射装置に信号が出力される。【選択図】図１
2005007003.tif 000002
【特許請求の範囲】
【請求項１】
ハンドル本体に操作部が回動可能に取り付けられ、該操作部の回動操作角度に応じた信号を出力する信号発生部が設けられ、該信号発生部から出力される信号に基づき遊技球が打球発射装置から発射されるパチンコ遊技機の打球発射ハンドル装置において、
該操作部が中立位置から左右両側に回動可能に形成されると共に、左右の回動位置から中立位置に該操作部を戻す方向に付勢する戻し付勢手段が設けられ、該操作部の左回動時及び右回動時に前記信号発生部から該操作角度に応じた信号が出力され、該操作部の両方向回動時に該信号発生部から打球発射装置に信号が出力されることを特徴とするパチンコ遊技機の打球発射ハンドル装置。
【請求項２】
前記ハンドル本体がパチンコ遊技機の前面枠下部の略中央位置に配置されることを特徴とする請求項１記載のパチンコ遊技機の打球発射ハンドル装置。
【請求項３】
前記ハンドル本体がパチンコ遊技機の前面枠下部に、左右水平方向に移動可能に配設され、移動した位置のハンドル本体をロックするロック機構が設けられたことを特徴とする請求項１記載のパチンコ遊技機の打球発射ハンドル装置。
【請求項４】
前記ハンドル本体の内側に負荷歯車が軸支され、該ハンドル本体に対し回動可能に取り付けられた前記操作部の内側に、該歯車が噛合する内歯車が設けられ、該操作部を回動操作したとき、該内歯車を介して該負荷歯車が回転して該操作部の回動に回動負荷が付与されることを特徴とする請求項１記載のパチンコ遊技機の打球発射ハンドル装置。
【発明の詳細な説明】
【０００１】
【発明の属する技術分野】
本発明は、パチンコ遊技機の打球発射ハンドル装置に関し、特に左右何れの方向（時計方向及び反時計方向）に操作部を回動操作した場合でも、打球の発射操作を行なうことができる打球発射ハンドル装置に関する。
【０００２】
【従来の技術】
パチンコ遊技機の打球発射ハンドルは、通常、その前面枠下部における向かって右側に配置され、右利きの遊技者が右手で操作し易い形態となっている。このため、左利きの遊技者が左手で操作しようとした場合、非常に操作がしにくく、左利きの遊技者であっても、右手で右側の打球発射ハンドルを操作しているため、左利きの遊技者にとっては、利き手以外の右手による操作が長時間続くと、疲労が蓄積され、不快感を生じさせる問題があった。
【０００３】
【発明が解決しようとする課題】
そこで、従来、下記特許文献１により、パチンコ遊技機の前面枠下部の右側に、右手打ち用操作ハンドルを設けるとともに、その左側に、左手打ち用操作ハンドルを設けた構造のパチンコ遊技機が提案されている。また、下記特許文献２により、発射ハンドルを前面枠の下部において水平方向に移動可能に配設し、遊技者が右端から左端までの任意の位置で、発射ハンドルを操作できるようにした構造の打球発射ハンドルが提案されている。
【０００４】
【特許文献１】
実公平４−３８８６１号公報
【特許文献２】
特開平６−１３４０８６号公報
【０００５】
しかし、前者のパチンコ遊技機の操作ハンドルは、右手打ち用と左手打ち用の両方の操作ハンドルが設けられて、左利きの遊技者であっても、左手で左方向にハンドルを回して打球操作を容易に行なうことができるものの、前面枠の下部に２つの操作ハンドルが配設されることになるため、操作ハンドルを構成する部品の部品点数が２倍に増大すると共に、前面枠の下部のスペースが２つの操作ハンドルによって狭められる課題があった。
【０００６】
また、後者のパチンコ遊技機の操作ハンドルは、左右方向に水平移動が可能な構造であるため、遊技者は任意の位置に操作ハンドルを動かして、操作することができるものの、何れの位置の操作ハンドルにおいても、右手打ち用の発射レバーを右に回して打球の発射操作を行なう構造のため、左利きの遊技者が左手で操作ハンドルを操作する場合、左手でハンドルを右に回して操作することとなり、左利きの遊技者にとっては非常に操作性が悪いという課題があった。
【０００７】
本発明は、上記の点に鑑みてなされたもので、操作部を右方向（時計方向）に回動した時及び左方向（反時計方向）に回動した時の両方で打球の発射操作が可能となり、右利きの遊技者、左利きの遊技者共に疲労感を感じることなく、楽に打球の発射を行なうことができるパチンコ遊技機の打球発射ハンドル装置を提供することを目的とする。
【０００８】
【課題を解決するための手段】
上記目的を達成するために、本発明のパチンコ遊技機の打球発射ハンドル装置は、ハンドル本体に操作部が回動可能に取り付けられ、操作部の回動操作角度に応じた信号を出力する信号発生部が設けられ、信号発生部から出力される信号に基づき遊技球が打球発射装置から発射されるパチンコ遊技機の打球発射ハンドル装置において、操作部が中立位置から左右両側に回動可能に形成されると共に、左右の回動位置から中立位置に操作部を戻す方向に付勢する戻し付勢手段が設けられ、操作部の左回動時及び右回動時に信号発生部から操作角度に応じた信号が出力され、操作部の両方向回動時に信号発生部から打球発射装置に信号が出力されることを特徴とする。
【０００９】
ここで、請求項２のように、上記ハンドル本体はパチンコ遊技機の前面枠下部の略中央位置に配置することができる。
【００１０】
また、請求項３のように、ハンドル本体はパチンコ遊技機の前面枠下部に、左右水平方向に移動可能に配設し、移動した位置のハンドル本体をロックするロック機構を設けることができる。
【００１１】
また、請求項４のように、ハンドル本体の内側に負荷歯車が軸支され、ハンドル本体に対し回動可能に取り付けられた操作部の内側に、歯車が噛合する内歯車が設けられ、操作部を回動操作したとき、内歯車を介して負荷歯車が回転して操作部の回動に回動負荷が付与されるように構成することができる。
【００１２】
【作用】
上記構成のパチンコ遊技機では、遊技者は、前面枠の下部に配設した打球発射ハンドル装置の操作部を持って、回動操作し打球の発射を行う。ハンドル本体に設けられた操作部は、左右何れの方向に回動操作した場合でも、信号発生部から操作部の回動操作角度に応じた信号が打球発射装置に出力されるようにしているから、右利きの遊技者が右手で操作部を持って操作する際、通常どおり右方向（時計方向）に操作部を回して打球の発射操作を行うことができる。また、左利きの遊技者は、左手で操作部を持って操作する際、操作しやすい方向の左方向（反時計方向）に操作部を回して打球の発射操作を行うことができる。
【００１３】
したがって、右利きの遊技者、左利きの遊技者共に、操作しやすい方向に操作部を回動操作して打球の発射を行うことができ、右利き左利き両方の遊技者が長時間の操作でも少ない疲労感でパチンコゲームを楽しむことができる。また、パチンコ遊技機に設置する打球発射ハンドル装置は１個で良いため、右利き用と左利き用の２個の打球発射ハンドル装置を設ける場合に比べ、部品点数を大幅に削減でき、必要とする設置スペースも削減することができる。
【００１４】
【発明の実施の形態】
以下、本発明の実施の形態を図面に基づいて説明する。図１は第一実施形態のパチンコ遊技機の正面図を示している。図において、１はパチンコ機の木枠で、木枠１の前には前面枠２が蝶番を介して開閉可能に装着され、前面枠２の前面にはガラス扉５を開閉可能に設けた金枠が取り付けられ、前面枠２の内側に遊技盤３が着脱可能に取り付けられる。また、遊技盤３の背面側に合成樹脂製の機構板がヒンジを介して回動可能に装着される。
【００１５】
ガラス扉５の下側に、前板７が図示しない発射レールや打球杆を覆うように開閉可能に装着され、前板７の前面には打球供給皿６が設けられる。更に、前面枠２の下部に、打球発射装置を動作させるための打球発射ハンドル装置９が設けられ、その中央部に打球供給皿６で貯留できなくなった賞球を貯留する下皿８が設けられる。
【００１６】
打球発射ハンドル装置９は、図２、図３に示すように、略球形のハンドル本体９０にリング状の操作部９２が回動可能に設けられて構成され、操作部９２には、遊技者が手動操作で回動するための指掛け部９２ａが設けられている。この操作部９２の回動角度に応じた信号を出力するために、ハンドル本体９０内に信号発生部９１が設けられている。信号発生部９１は可変抵抗器などから構成され、操作部９２の回動軸９３が可変抵抗器つまり信号発生部９１の軸に結合され、操作部９２の回動操作により信号発生部９１の回転子が回転しその回転角に応じた信号を出力する。この操作部９２は、その中立位置で停止可能に形成され、中立位置から左右何れの側に回動した場合でも、その回転角に応じた信号が信号発生部９１から出力されるように構成されている。
【００１７】
つまり、信号発生部９１は、打球発射ハンドル装置の操作部９２が中立位置にある場合、信号が出力されずに発射停止状態となり、左右何れかの方向に回動操作されると、その回転角度に応じた信号を、打球発射指令信号として発射制御部９４に出力し、発射制御部９４は打球発射指令信号に基づき、発射用モータ９５を回転駆動するように制御する構造である。また、操作部９２を左右で同じ角度に回動させた場合、打球の発射強度は同じとなり、左右の回動角度を増すほど発射強度が高くなるように設定されている。
【００１８】
打球発射装置は、図２のように、発射用モータ９５と、この発射用モータ９５により揺動動作して打球を発射する発射槌９６を備えて構成される。操作部９２が中立位置から右に或いは左に回動操作されたとき、信号発生部９１から操作部９２のその回転角に応じた信号が発射制御部９４に送られ、発射制御部９４の制御動作により、発射用モータ９５が制御する発射槌９６の揺動速度が制御され、操作部９２が回動操作されたとき、その回動操作角度に応じた発射力で、打球を発射するようにしている。
【００１９】
なお、打球発射ハンドル装置９の操作部９２は、上述のように、その中立位置で停止し、中立位置から左または右方向に回動操作することができる構造であるが、操作力が操作部９２に印加されてない状態で、操作部９２が左右何れの側からでも、自動的に中立位置に戻るように、戻しばねを設けることができる。
【００２０】
パチンコ遊技機の前面枠２の正面に遊技盤３が設けられ、図１に示すように、遊技盤３上には外レールと内レールとで囲まれた遊技領域が形成され、その遊技領域の中央に、例えば３列に配置された複数の図柄を順に上から下に移動（回動）させて表示する図柄変動表示装置１０が配設される。図柄変動表示装置１０は、カラー液晶表示器等の表示器に３列に配置した複数の数字や絵の図柄を、上から下に流して表示する画を表示する。
【００２１】
この図柄変動表示装置１０は、通常の始動入賞時には、例えば１から８までの数字或いは絵柄が流れるように表示されるが、図柄が停止してリーチ状態などになった場合には、各種の画像が変動図柄の下側に表示される。さらに、大当りとなった場合には大当り用の画像が表示される。図柄変動表示装置１０の表示器の上方に、保留球表示器１５が複数のランプ等を配置して設けられ、保留球表示器１５は、図柄変動時に、さらに始動入賞口１３に入賞した球の数（保留個数）を記憶して表示する。
【００２２】
図柄変動表示装置１０の中央位置の下方に、始動入賞口１３が設けられ、さらにその両側に通常入賞口１２が配設され、始動入賞口１３の下側に、可変入賞装置１１が設けられる。始動入賞口１３は開閉可能な羽根を有し、始動入賞口ソレノイドにより羽根は開閉駆動され、そこに入賞した球はその内側に配設された始動入賞検出器により検出される。可変入賞装置１１には大入賞口として開閉動作する開閉部材が、電磁ソレノイド等により開閉可能に設けられる。
【００２３】
また、可変入賞装置１１の大入賞口内には、Ｖゾーンと呼ばれる継続入賞口が設けられ、継続入賞口に入賞した球を検出するための継続入賞口検出器（Ｖ検出器）がその内側に設けられ、さらに大入賞口に入賞した球を検出する入賞口検出器が設けられる。これらの入賞口に入賞した入賞球の数をカウントするカウンタがＲＡＭの特定メモリ領域などに設けられ、カウント値が例えば９個になると、可変入賞装置１１の開閉部材は大入賞口ソレノイドにより閉じられる。
【００２４】
開閉部材の１回の開放が１ラウンドとされ、所定時間内に特定入賞口に入賞すると、ラウンドが更新され、最大で例えば１６ラウンドつまり１６回開閉部材が開放される。さらに、遊技盤３上には、大当り時などに点灯する装飾ランプなどが設けられる。
【００２５】
上記のように構成されたパチンコ遊技機では、遊技者がパチンコゲームを開始する場合、打球発射ハンドル装置９の操作部９２を回動操作してパチンコ球の打球発射を行う。ハンドル本体９０に設けられた操作部９２は、左右何れの方向に回動操作した場合でも、信号発生部９１から操作部９２の回動操作角度に応じた信号が出力される構造である。したがって、右利きの遊技者が右手で操作部９２を持って操作する場合、通常どおり右方向（時計方向）に操作部９２を回して打球の発射操作を行うことができる。また、左利きの遊技者が、左手で操作部９２を持って操作する場合、操作しやすい方向の左方向（反時計方向）に操作部９２を回して打球の発射操作を行うことができる。
【００２６】
操作部９２が右側に回動操作されると、その回動角度に応じた信号が信号発生部９１から出力され、発射制御部９４に発射指令信号として入力される。同様に操作部９２が左側に回動操作されると、その回動角度に応じた信号が信号発生部９１から出力され、発射制御部９４に発射指令信号として入力される。
【００２７】
発射制御部９４は、このような操作部９２の右方向回転角度又は左方向回転角度に応じた信号を入力すると、その発射指令信号に基づき発射用モータ９５を回転駆動し、発射用モータ９５の駆動により発射槌９６が揺動動作して打球を発射する。つまり、操作部９２が中立位置から右に或いは左に回動操作されたとき、信号発生部９１から操作部９２の回転角に応じた信号が発射制御部９４に送られ、発射制御部９４の制御動作により、発射用モータ９５が操作部９２の回動角度に応じた強度で発射槌９６を揺動駆動して、打球が遊技盤３上に発射される。このとき、発射用モータ９５の駆動速度が、操作部９２の回動操作時の回動操作角度に応じて制御されるため、発射槌９６による打球の発射力は、操作部９２の回動操作時の回動操作角度に応じたものとなる。
【００２８】
このように、打球発射ハンドル装置の操作部９２を操作する際、右利きの遊技者は右手で操作部９２を持って右方向に回して操作することができ、左利きの遊技者は左手で操作部９２を持って左方向に回して操作することができるから、右利き左利き共に操作しやすい方向に操作部を回動操作して打球の発射を行うことができ、右利き左利き両方の遊技者が長時間の操作でも少ない疲労感でパチンコゲームを楽しむことができる。また、パチンコ遊技機に設置する打球発射ハンドル装置は１個で良いため、右利き用と左利き用の２個の打球発射ハンドル装置を設ける場合に比べ、部品点数を大幅に削減でき、必要とする設置スペースも削減することができる。
【００２９】
図４は第二実施形態のパチンコ遊技機の正面図を示している。上記第一実施形態の打球発射ハンドル装置９は、パチンコ遊技機の前面枠２下部の右側に配置されていたが、図４のように、前面枠２の下部中央に打球発射ハンドル装置９を配置することもできる。この場合、遊技者の体の略中央に操作部９２が位置することになるから、右利きの遊技者が右手で操作する場合と、左利きの遊技者が左手で操作する場合とで、同じ条件となり、右利き左利き共に操作しやすい打球発射ハンドル装置とすることができる。
【００３０】
図５は第三実施形態のパチンコ遊技機の正面図を示している。このパチンコ遊技機の打球発射ハンドル装置９は、前面枠２の下部において、水平方向に移動可能に配設されている。この実施形態において上記実施形態と同じ部分については、上記と同じ符号を図面に付してその説明を省略する。
【００３１】
図５、図６に示すように、前面枠２の下部に水平方向に長孔３２が形成され、その長孔３２に打球発射ハンドル装置９のハンドル本体９０の基部が長孔３２の長手方向に沿って移動可能に嵌合されている。また、ハンドル本体９０の基部には、フック形状のロック部材３０が回動可能に枢支され、さらに、前面枠２側には、ロック部材３０の先端が嵌合される凹部３１が長孔３２の長手方向に沿って設けられている。
【００３２】
この図６の打球発射ハンドル装置９を使用する場合、遊技者は、打球発射ハンドル装置９を前面枠２の下部の長孔３２に沿って任意の位置に移動させ、ハンドル本体９０をロック部材３０でロックして使用する。つまり、この水平移動可能な打球発射ハンドル装置によれば、右利きの遊技者は打球発射ハンドル装置９を右に寄せて使用し、左利きの遊技者は打球発射ハンドル装置９を左に寄せて、各々が使用しやすい位置にして発射ハンドルを使用することができる。
【００３３】
図７、図８は第四実施形態の打球発射ハンドル装置９９の断面図を示している。この実施形態において上記実施形態と同じ部分については、上記と同じ符号を図面に付してその説明を省略する。この打球発射ハンドル装置９９の略球形のハンドル本体９０には、上記と同様にリング状の操作部９２が回動可能に設けられ、操作部９２に遊技者が手動操作で回動するための指掛け部９２ａが設けられる。また、操作部９２の軸９３はハンドル本体９０内に設けた信号発生部９１の回転子の軸に結合されており、操作部９２の回動角度に応じた信号が信号発生部９１から出力される。
【００３４】
さらに、軸９３の反対側は、ハンドル本体９０の正面内側に設けた軸受部２６に軸支され、その軸受部２６の上方に別の軸受部２８が設けられ、その軸受部２８に負荷歯車２７が軸支されている。一方、ハンドル本体９０の内側に内歯車（円弧部の内周側に歯を設けた歯車）２９が取り付けられ、その内歯車２９と負荷歯車２７が噛合している。負荷歯車２７の軸受部２８には摩擦抵抗部材などにより適度な回動負荷が付与されており、操作部９２の回動操作時及びその戻り時に、その回動に負荷がかかり低速で回動されるようにしている。
【００３５】
さらに、ハンドル本体９０の内側には、リング状の操作部９２の内側に沿って円弧状のばね保持部が設けられる。このばね保持部には、右戻しばね２１と左戻しばね２２を円弧状に保持するためのばね保持溝２５が形成されている。右戻しばね２１と左戻しばね２２は、操作部９２を中立位置に戻すために設けられた圧縮コイルばねであり、中央にばね連結部材２３を挟むように連結され、ばね連結部材２３には操作部９２側の係合ピン２４を係合させるための係合部２３ａが設けられる。
【００３６】
右戻しばね２１と左戻しばね２２は、ばね保持溝２５内で伸縮自在であり、伸張荷重又は圧縮荷重を加えない自由な状態では、右戻しばね２１と左戻しばね２２を結ぶばね連結部材２３は中立位置に位置する。そして、操作部９２の一部に突設された係合ピン２４がばね連結部材２３の係合部２３ａに係合される。
【００３７】
このような構成の打球発射ハンドル装置９９では、操作部９２に力を加えない状態で、右戻しばね２１と左戻しばね２２がその間のばね連結部材２３は中立位置に位置させるため、操作部９２は中立位置に静止している。操作部９２を図８において右に回動させると、ばね連結部材２３の同方向への移動により左戻しばね２２が圧縮され、右戻しばね２１が伸張される。
【００３８】
一方、操作部９２を左に回動させると、ばね連結部材２３の同方向への移動により右戻しばね２１が圧縮され、左戻しばね２２が伸張される。そして、操作部９２への回動力を除去すると、左右何れの方向に回動していた場合でも、右戻しばね２１と左戻しばね２２のばね力により、ばね連結部材２３の位置つまり操作部９２の位置が中立位置に戻るように回動する。また、このとき、操作部９２の回動操作や戻り回動は負荷歯車２７の回動を伴うため、操作部９２の回動は適度に負荷がかかった状態となり、操作部９２は常に低速で回動し、急激に戻ることは防止される。
【００３９】
このような操作部９２の回動操作に伴う信号発生部９１、発射制御部９４、発射用モータ９５の動作は上記と同様であり、操作部９２が中立位置から右に或いは左に回動操作されたとき、信号発生部９１から操作部９２の回転角に応じた信号が発射制御部９４に送られ、発射制御部９４の制御動作により、発射用モータ９５が操作部９２の回動角度に応じた強度で発射槌９６を揺動駆動して、打球が遊技盤３上に発射される。このとき、発射用モータ９５の駆動速度が、操作部９２の回動操作時の回動操作角度に応じて制御され、発射槌９６による打球の発射力は、操作部９２の回動操作時の回動操作角度に応じたものとなる。
【００４０】
【発明の効果】
以上説明したように、本発明のパチンコ遊技機の打球発射ハンドル装置によれば、右利き左利き共に操作しやすい方向に操作部を回動操作して打球の発射を行うことができるから、右利き左利き両方の遊技者が長時間の操作でも少ない疲労感でパチンコゲームを楽しむことができる。また、パチンコ遊技機に設置する打球発射ハンドル装置は１個で良いため、右利き用と左利き用の２個の打球発射ハンドル装置を設ける場合に比べ、部品点数を大幅に削減でき、必要とする設置スペースも削減することができる。
【００４１】
また、請求項２のように、パチンコ遊技機の前面枠下部の略中央位置に、上記打球発射ハンドル装置のハンドル本体を配置すれば、右利きの遊技者が右手で操作する場合と、左利きの遊技者が左手で操作する場合とで、同じ条件となり、右利き左利き共に操作しやすい打球発射ハンドル装置とすることができる。
【００４２】
また、請求項３のように、上記ハンドル本体をパチンコ遊技機の前面枠下部に、左右水平方向に移動可能に配設し、移動した位置のハンドル本体をロック機構によりロックする構造とすれば、例えば、右利きの遊技者は打球発射ハンドル装置を右に寄せて、或いは左利きの遊技者は打球発射ハンドル装置を左に寄せて使用するなど、各々が使用しやすい位置で使用することができる。
【００４３】
さらに、請求項４のように、ハンドル本体の内側に負荷歯車を軸支し、ハンドル本体に対し回動可能に取り付けられた操作部の内側に、歯車が噛合する内歯車を設け、操作部を回動操作したとき、内歯車を介して負荷歯車が回転して操作部の回動に回動負荷をかける構造とすれば、操作部が戻し付勢手段により左右の回動位置から中立位置に戻されるとき、低速で戻すようにして、急激に操作部が戻される不具合を防止することができる。
【図面の簡単な説明】
【図１】本発明の一実施形態を示すパチンコ遊技機の正面図である。
【図２】パチンコ遊技機の打球発射ハンドル装置の断面図である。
【図３】図２における操作部９２の断面図である。
【図４】第二実施形態のパチンコ遊技機の正面図である。
【図５】第三実施形態のパチンコ遊技機の正面図である。
【図６】同実施形態の打球発射ハンドル装置の断面図である。
【図７】第四実施形態の打球発射ハンドル装置の断面図である。
【図８】同実施形態の操作部９２の断面図である。
【符号の説明】
２−前面枠
３−遊技盤
９−打球発射ハンドル装置
９０−ハンドル本体
９１−信号発生部
９２−操作部
９４−発射制御部
９５−発射用モータ
９６−発射槌
【図１】
2005007003.tif 000003
【図２】
2005007003.tif 000004
【図３】
2005007003.tif 000005
【図４】
2005007003.tif 000006
【図５】
2005007003.tif 000007
【図６】
2005007003.tif 000008
【図７】
2005007003.tif 000009
【図８】
2005007003.tif 000010